(57)【特許請求の範囲】
【請求項１】
インターネットを通じてテキストメールの受信可能な通信装置であって、
受信した前記テキストメールの印字を行う記録紙のサイズを設定するサイズ設定手段と、
受信した前記テキストメールに基づきその印字に要する標準仕様の印字領域の大きさを予測する領域予測手段と、
設定されたサイズの記録紙に対して予測された印字領域の大きさが適合するか否かを判断する判断手段と、
この判断手段による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理手段と、
受信した前記テキストメールを前記整形処理手段により整形処理されたスタイルに従い記録紙上に印字させる印字手段と、を備える通信装置。
【請求項２】
インターネットを通じてテキストメールの受信可能な通信装置であって、
受信した前記テキストメールに基づきその印字に要する印字領域の大きさを予測する領域予測手段と、
予測された印字領域の大きさに適合するサイズの記録紙を選択するサイズ選択手段と、
予測された印字領域の大きさに適合するサイズの記録紙がない場合に受信した前記テキストメールの印字を行う記録紙のサイズを特定するサイズ設定手段と、
前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理手段と、
受信した前記テキストメールを選択されたサイズの記録紙上に印字させ、又は、前記整形処理手段により整形処理されたスタイルに従い特定された記録紙上に印字させる印字手段と、を備える通信装置。
【請求項３】
前記整形処理手段は、さらに、前記テキストメールの最終行に改行文字を含む場合には当該改行文字を削除することを特徴とする請求項１または２に記載の通信装置。
【請求項４】
インターネットを通じてテキストメールの受信可能な通信装置の受信テキストメール印刷方法であって、
受信した前記テキストメールの印字を行う記録紙のサイズを設定するサイズ設定過程と、
受信した前記テキストメールに基づきその印字に要する標準仕様の印字領域の大きさを予測する領域予測過程と、
設定されたサイズの記録紙に対して予測された印字領域の大きさが適合するか否かを判断する判断過程と、
この判断過程による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理過程と、
受信した前記テキストメールを前記整形処理過程により整形処理されたスタイルに従い記録紙上に印字させる印字過程と、を備える通信装置の受信テキストメール印刷方法。
【請求項５】
インターネットを通じてテキストメールの受信可能な通信装置の受信テキストメール印刷方法であって、
受信した前記テキストメールに基づきその印字に要する印字領域の大きさを予測する領域予測過程と、
予測された印字領域の大きさに適合するサイズの記録紙を選択するサイズ選択過程と、
予測された印字領域の大きさに適合するサイズの記録紙がない場合に受信した前記テキストメールの印字を行う記録紙のサイズを特定するサイズ設定過程と、
前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理過程と、
受信した前記テキストメールを選択されたサイズの記録紙上に印字させ、又は、前記整形処理過程により整形処理されたスタイルに従い特定された記録紙上に印字させる印字過程と、を備える通信装置の受信テキストメール印刷方法。
【請求項６】
前記整形処理過程は、さらに、前記テキストメールの最終行に改行文字を含む場合には当該改行文字を削除することを特徴とする請求項４または５に記載の通信装置の受信テキストメール印刷方法。
【請求項７】
インターネットを通じてテキストメールの受信可能な通信装置が備えるコンピュータにインストールされ、前記コンピュータに、
受信した前記テキストメールの印字を行う記録紙のサイズを設定するサイズ設定機能と、
受信した前記テキストメールに基づきその印字に要する標準仕様の印字領域の大きさを予測する領域予測機能と、
設定されたサイズの記録紙に対して予測された印字領域の大きさが適合するか否かを判断する判断機能と、
この判断機能による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理機能と、
受信した前記テキストメールを前記整形処理機能により整形処理されたスタイルに従い記録紙上に印字させる印字機能と、を実行させるプログラム。
【請求項８】
インターネットを通じてテキストメールの受信可能な通信装置が備えるコンピュータにインストールされ、前記コンピュータに、
受信した前記テキストメールに基づきその印字に要する印字領域の大きさを予測する領域予測機能と、
予測された印字領域の大きさに適合するサイズの記録紙を選択するサイズ選択機能と、
予測された印字領域の大きさに適合するサイズの記録紙がない場合に受信した前記テキストメールの印字を行う記録紙のサイズを特定するサイズ設定機能と、
前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理機能と、
受信した前記テキストメールを選択されたサイズの記録紙上に印字させ、又は、前記整形処理機能により整形処理されたスタイルに従い特定された記録紙上に印字させる印字機能と、を実行させるプログラム。
【請求項９】
前記整形処理機能は、さらに、前記テキストメールの最終行に改行文字を含む場合には当該改行文字を削除することを特徴とする請求項７または８に記載のプログラム。
【請求項１０】
請求項７乃至９の何れか１つに記載のプログラムが格納されたコンピュータ読取可能な記憶媒体。
【発明の詳細な説明】
【０００１】
【発明の属する技術分野】
本発明は、インターネットファクシミリ装置等の通信装置、その受信テキストメール印刷方法、プログラム及び記憶媒体に関する。
【０００２】
【従来の技術】
インターネットメール（以下、単に「メール」という）の普及に伴い、ファクシミリ装置をインターネットに接続した、いわゆる、インターネットファクシミリ装置が利用されるようになってきている。インターネットファクシミリ装置は、伝統的な手法「インターネットに接続されたコンピュータ上でメール送受信用ソフト（以下、単に「メーラ」という）を利用する」よりも操作が容易であり、ファクシミリ送受信を行う場合と同じ感覚でメールの送受信が可能なものである。即ち、送信あて先としてファクス番号の代わりにメールアドレスを入力することで、スキャナから読み込まれた送信原稿が画像ファイルとしてメールに添付されて送信される。また、受信したメールは、自動的に記録紙に印刷される。送受信可能な画像ファイルの圧縮形式や記録紙サイズは、ＩＴＵ−Ｔ勧告Ｔ−３７に規定されている。
【０００３】
【発明が解決しようとする課題】
ところで、インターネットファクシミリ装置において受信することのある伝統的な手法であるメーラから送信されるメールとしては、画像ファイルが添付されたものよりも、文章中心のテキストメールが多い。
【０００４】
テキストメールでは、文章は自由なスタイルで書かれて送信され、サイズ的にも記録紙サイズ、ページのような概念がなく、記録紙サイズも指定されない。
【０００５】
従って、このようなテキストメールをインターネットファクシミリ装置で受信し、記録紙に印刷して出力しようとする場合、常に一定の記録紙サイズを用いて出力させることが考えられるが、記録紙にテキストメールの内容が納まりきらなかったり、逆に、記録紙が大きすぎて無駄な余白ができてしまう可能性がある。
【０００６】
また、テキストメールは通常は適度に改行されているが、個々のユーザ（送信者）の恣意的な事項であり、テキストメールの１行の文章が長い場合もあり、極端な場合には、改行処理が施されていない場合もあり、そのスタイルは、各テキストメールによってまちまちである。特に、改行処理のないテキストメールにあっては、テキストメールでは１行の文字数の制限がないことから、受信したテキストメールのスタイルを保ったまま印刷することが困難な場合や、そのスタイルを保ったまま印刷することによるメリットの少ない場合もある。
【０００７】
本発明は、いかなるテキストメールを受信してもその文章内容を損なうことなくその内容を記録紙に印刷することができる通信装置、その受信テキストメール印刷方法、プログラム及び記憶媒体を提供することを目的とする。
【０００８】
特に、印刷領域に無駄のない適切なサイズの記録紙に印刷出力させることができる通信装置、その受信テキストメール印刷方法、プログラム及び記憶媒体を提供することを目的とする。
【０００９】
或いは、逆に、印刷出力する記録紙のサイズが設定又は指定された条件下に、文章内容を損なうことなくそのサイズに適合した形で印刷出力させることができる通信装置、その受信テキストメール印刷方法、プログラム及び記憶媒体を提供することを目的とする。
【００１０】
【課題を解決するための手段】
本発明は、インターネットを通じてテキストメールの受信可能な通信装置であって、受信した前記テキストメールの印字を行う記録紙のサイズを設定するサイズ設定手段と、受信した前記テキストメールに基づきその印字に要する標準仕様の印字領域の大きさを予測する領域予測手段と、設定されたサイズの記録紙に対して予測された印字領域の大きさが適合するか否かを判断する判断手段と、この判断手段による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理手段と、受信した前記テキストメールを前記整形処理手段により整形処理されたスタイルに従い記録紙上に印字させる印字手段と、を備えたものである。
【００１１】
また、インターネットを通じてテキストメールの受信可能な通信装置であって、受信した前記テキストメールに基づきその印字に要する印字領域の大きさを予測する領域予測手段と、予測された印字領域の大きさに適合するサイズの記録紙を選択するサイズ選択手段と、予測された印字領域の大きさに適合するサイズの記録紙がない場合に受信した前記テキストメールの印字を行う記録紙のサイズを特定するサイズ設定手段と、前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理手段と、受信した前記テキストメールを選択されたサイズの記録紙上に印字させ、又は、前記整形処理手段により整形処理されたスタイルに従い特定された記録紙上に印字させる印字手段と、を備えたものである。
【００１２】
また、前記整形処理手段は、さらに、前記テキストメールの最終行に改行文字を含む場合には当該改行文字を削除するようにしたものである。
【００１３】
また、インターネットを通じてテキストメールの受信可能な通信装置の受信テキストメール印刷方法であって、受信した前記テキストメールの印字を行う記録紙のサイズを設定するサイズ設定過程と、受信した前記テキストメールに基づきその印字に要する標準仕様の印字領域の大きさを予測する領域予測過程と、設定されたサイズの記録紙に対して予測された印字領域の大きさが適合するか否かを判断する判断過程と、この判断過程による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理過程と、受信した前記テキストメールを前記整形処理過程により整形処理されたスタイルに従い記録紙上に印字させる印字過程と、を備えたものである。
【００１４】
また、インターネットを通じてテキストメールの受信可能な通信装置の受信テキストメール印刷方法であって、受信した前記テキストメールに基づきその印字に要する印字領域の大きさを予測する領域予測過程と、予測された印字領域の大きさに適合するサイズの記録紙を選択するサイズ選択過程と、予測された印字領域の大きさに適合するサイズの記録紙がない場合に受信した前記テキストメールの印字を行う記録紙のサイズを特定するサイズ設定過程と、前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理過程と、受信した前記テキストメールを選択されたサイズの記録紙上に印字させ、又は、前記整形処理過程により整形処理されたスタイルに従い特定された記録紙上に印字させる印字過程と、を備えたものである。
【００１５】
また、前記整形処理過程は、さらに、前記テキストメールの最終行に改行文字を含む場合には当該改行文字を削除するようにしたものである。
【００１６】
また、インターネットを通じてテキストメールの受信可能な通信装置が備えるコンピュータにインストールされ、前記コンピュータに、受信した前記テキストメールの印字を行う記録紙のサイズを設定するサイズ設定機能と、受信した前記テキストメールに基づきその印字に要する標準仕様の印字領域の大きさを予測する領域予測機能と、設定されたサイズの記録紙に対して予測された印字領域の大きさが適合するか否かを判断する判断機能と、この判断機能による判断の結果、適合する場合には標準仕様のまま、適合しない場合には、前記テキストメールの１行の文字列の終端に空白文字がある場合には当該空白文字を削除するとともに、記録紙サイズの主走査幅に合わせて前記テキストメールの１行の文字列を折り返し、記録紙サイズに収まるように前記テキストメールを整形する整形処理機能と、受信した前記テキストメールを前記整形処理機能により整形処理されたスタイルに従い記録紙上に印字させる印字機能と、を実行させるプログラムである。
【００１７】
また、インターネットを通じてテキストメールの受信可能な通信装置が備えるコンピュータにインストールされ、前記コンピュータに、受信した前記テキストメールに基づきその印字に要する印字領域の大きさを予測する領域予測機能と、予測された印字領域の大きさに適合するサイズの記録紙を選択するサイズ選択機能と、予測された印字領域の大きさに適合するサイズの記録紙がない場合に受信した前記テキストメールの印字を行う記録紙のサイズを特定するサイズ設定機能と、前記テキストメールの１行の文字列の終端に空白文字がある場合には当該空白文字を削除するとともに、記録紙サイズの主走査幅に合わせて前記テキストメールの１行の文字列を折り返し、特定された記録紙サイズに収まるように受信した前記テキストメールのスタイルに整形処理を施す整形処理機能と、受信した前記テキストメールを選択されたサイズの記録紙上に印字させ、又は、前記整形処理機能により整形処理されたスタイルに従い特定された記録紙上に印字させる印字機能と、を実行させるプログラムである。
【００１８】
また、前記整形処理機能は、さらに、前記テキストメールの最終行に改行文字を含む場合には当該改行文字を削除するようにしたものである。
【００１９】
また、請求項７乃至９の何れか１つに記載のプログラムが格納されたコンピュータ読取可能な記憶媒体である。
【００９６】
【発明の実施の形態】
本発明の第一の実施の形態を図１ないし図５に基づいて説明する。図１は本実施の形態の通信装置としてのファクシミリ装置のハードウェア構成の概略を示すブロック図である。システム制御部１は、ＣＰＵ、ＲＯＭ及びＲＡＭを備えてマイクロコンピュータを構成し、当該ファクシミリ装置の各部の制御処理、ファクシミリ伝送制御手順処理などの各種処理制御を受け持つ。システム制御部１中のＲＯＭにはＣＰＵが実行する制御処理プログラム、処理プログラムが格納されている。即ち、本実施の形態では、ＲＯＭに後述するような各種機能を実現するためのプログラムが格納されており、このＲＯＭがプログラムを記憶した記憶媒体として機能している。このため、本実施の形態では、ＲＯＭが例えばＥＥＰＲＯＭやフラッシュメモリにより構成され、ＲＯＭに記憶されているプログラムが書換え自在とされている。なお、特に図示しないが、ネットワーク経由でプログラムをダウンロードさせる場合であれば、ネットワークインタフェースを付加すればよい。システム制御部１中のＲＡＭはワークエリアとして機能するもので、各種情報を書換え自在に格納する。
【００９７】
操作表示部２は装置の動作状態を表示するとともにユーザ（オペレータ）が各種操作を行うためのものである。スキャナ３はファクシミリ用の送信原稿の画像を読取るものである。プロッタ４は画情報を記録紙上に記録するものであり、例えば、電子写真方式を利用したレーザプリンタ構成とされる。本実施の形態では、受信したテキストメールの印字もこのプロッタ４により行わせるものである。ここに、このプロッタ４においては、サイズの異なる複数種類（例えば、Ｂ５，Ａ４，Ｂ４など）の記録紙が選択給紙自在に用意されている。また、本実施の形態のプロッタ４は、記録紙を縦長状態の短手方向が主走査方向、長手方向が副走査方向となるように印字出力する仕様が標準仕様とされている。
【００９８】
符号化復号化部５は、送信する画情報をデータ圧縮（符号化圧縮）するとともに、受信した画情報を元の画情報に復元（復号化）するものである。通信制御部６は通信プロトコルを実行する部分で、モデム７は例えばＧ３／Ｇ４のモデム機能を実現するものであり、伝送制御手順をやり取りするための低速モデム機能と、主に、画情報をやり取りするための高速モデム機能とを備えている。網制御部８は当該ファクシミリ装置を公衆回線網（ＰＳＴＮ）に接続するためのものであり、自動発着信機能を備えている。
【００９９】
さらに、本実施の形態のファクシミリ装置は、インターネット回線網に接続されてメールの送受信を制御するメール送受信部９を備えており、インターネットファクシミリ装置として機能し得る。
【０１００】
これらの構成要素は内部バス１０に接続されており、これらの各構成要素間でのデータのやり取りは、主としてこの内部バス１０を介して行われる。なお、網制御部８とモデム７との間のデータのやり取りは直接行われる。
【０１０１】
ここで、本実施の形態は、メーラから送信されたメールを受信した場合に、そのメール中に含まれるテキストメールの印刷方法を特徴とするものであり、その前提として、一般的なメール構造について説明する。メール構造としては、図２に示すようなシングルパートと、図３に示すようなマルチパートとがある。何れの構造にしても、メッセージ部分であるメールボディと、宛先等の関連情報を示すメールヘッダとにより構成される。種類の異なる複数のメッセージをまとめて１つのメールで送信する場合には、メールボディを複数のパートに分割することができる（マルチパート）。例えば、テキストに画像を添付して送信する場合、テキスト部分はテキストパートに、画像ファイルはバイナリパートに分割される。実際には、図３に示すように、画像ファイルはバイナリ→テキスト変換（ＭＩＭＥエンコード）されてバイナリパートに入れられる。
【０１０２】
このようなメールを通信装置で受信した場合、バイナリパートはテキスト→バイナリ変換（ＭＩＭＥデコード）して画像ファイルに戻された後、プロッタ４により記録紙上に印刷される。画像ファイル内には記録紙サイズが指定されているため、記録紙としてはそのサイズの記録紙が用いられる。
【０１０３】
一方、テキストパートでは記録紙サイズが指定されない。このため、テキストメールの印字出力に際しては、常に一定サイズの記録紙を用いることが考えられるが、この場合、前述したように、テキストメールの内容によってはその記録紙サイズに対してテキストメールの印字領域が大きすぎて記録紙に収まらなかったり、逆に、記録紙サイズに対して印字領域が小さすぎて記録紙に無駄な領域を生じてしまう、というような不具合がある。
【０１０４】
そこで、本実施の形態では、受信したテキストメールに基づきその印字に要する印字領域の大きさを予測し、予測された印字領域の大きさに適合するサイズの記録紙を選択して印字出力させることにより、受信したテキストメールの文章内容を失うことなく適正サイズの記録紙上に印字出力させるようにしたものである。
【０１０５】
図４はメーラから送信されたメールを受信した場合に、システム制御部１中のＣＰＵにより実行される受信印刷処理制御例の概略を示すフローチャートである。この処理は、メールを受信した場合に実行される（Ｓ１のＹ）。メールを受信すると、そのメールにつき、１行目から順にパート数Ｎがナンバリングされ、Ｎパート目がテキストメールであるかがチェックされる（Ｓ２）。テキストパートに属するか否かは、例えば、図３の例であれば、“967604204-7342599”の如く区切り情報に基づき判断可能である。
【０１０６】
テキストパートに属さない場合には（Ｓ２のＮ）、本実施の形態の範疇に属さないのでその説明を省略する。一方、テキストパートに属する場合には（Ｓ２のＹ）、そのテキストメールを標準仕様（予め設定されている標準文字フォントサイズ、文字間隔、行間）により印字する場合に要する印字領域の大きさを予測する処理が行われる。ここでは、まず、テキストパート中に属するテキストメール中で各々の行の文字数を計数し、１行の最大文字数から印字に要する主走査幅を予測する（Ｓ３）。このステップＳ３の処理により、主走査幅予測手段、主走査幅予測過程ないし主走査幅予測機能が実現されている。引き続き、テキストパート中に属するテキストメールの行数を計数することにより、その行数から印字に要する副走査幅を予測する（Ｓ４）。このステップＳ４の処理により、副走査幅予測手段、副走査幅予測過程ないし副走査幅予測機能が実現されている。これらのステップＳ３，Ｓ４の処理によりテキストメールの印字に要する印字領域（＝主走査幅×副走査幅）が予測されるものであり、ステップＳ３及びＳ４により、領域予測手段、領域予測過程ないしは領域予測機能が実現されている。
【０１０７】
印字領域の大きさが予測されると、その大きさに適合するサイズの記録紙を選択する処理が行われる（Ｓ５）。このステップＳ５の処理により、サイズ選択手段、サイズ選択過程ないしはサイズ選択機能が実現されている。この処理においては、予測された印字領域の大きさが当該ファクシミリ装置に用意されている記録紙の何れのサイズに収まるか否かをチェックし、収まるサイズを適合するサイズとして選択する。適合するサイズが複数存在する場合もあるが、その場合には、例えば記録紙に占める印字領域の大きい方の記録紙（サイズの小さい方の記録紙）が優先して選択されるように設定してもよく、或いは、標準サイズ側が優先して選択されるように設定してもよい。例えば、Ｂ５サイズの記録紙には収まらないが、A４サイズ、Ｂ４サイズの記録紙は何れも収まるような場合には、記録紙に占める印字領域の大きい方の記録紙（サイズの小さい方の記録紙、ここでは、Ａ４サイズ）が優先して選択されるように設定してもよく、或いは、標準サイズ（ここでは、Ａ４サイズ）側が優先して選択されるように設定してもよい。前者によれば、記録紙に生ずる無駄な領域を小さくすることができ、後者によれば出力される記録紙サイズのばらつきを極力抑えることができる。
【０１０８】
適合するサイズの記録紙が選択されると（Ｓ５）、プロッタ４を駆動させることにより、選択されたサイズの記録紙上にテキストメールが印字される（Ｓ６）。このステップＳ６の処理により印字手段、印字過程ないしは印字機能が実現される。
【０１０９】
図５に本実施の形態のテキストメールの受信印刷処理制御例に基づく記録紙Ｐ上への印字出力例を示す。図５は通常のテキストメールの典型例を示すものであり、通常はこのように適度に改行されているため、ファクシミリ装置本来の標準仕様に従い縦長となるような印字形態のまま印字出力させるのが効率的であり、このような印字形態に則して印字領域の大きさの予測も１行の最大文字数=主走査幅、行数＝副走査幅として行うようにしているので、一般的には最も適切な領域予測となり、記録紙サイズの選択も適切になることが予想できる。
【０１１０】
本発明の第二の実施の形態を図６ないし図８に基づいて説明する。第一の実施の形態で示した部分と同一部分は同一符号を用いて示し、説明も省略する（以降の各実施の形態でも順次同様とする）。本実施の形態では、プロッタ４として記録紙に対する印字出力方向として選択的に主・副走査方向を９０°反転させる９０°反転手段１１を備えている。より実際的には、印字バッファにビットマップ展開された印字画素データについてその主走査読出方向を９０°反転させる等の処理で実現可能である。
【０１１１】
図７はメーラから送信されたメールを受信した場合に、システム制御部１中のＣＰＵにより実行される本実施の形態の場合の受信印刷処理制御例の概略を示すフローチャートである。テキストメール部分について１行の最大文字数から主走査幅を予測し（Ｓ３）、かつ、行数から副走査幅を予測する（Ｓ４）処理は、前述の場合と同様に行われる。これらのステップＳ３，Ｓ４による処理で予測された印字領域の大きさに適合するサイズの記録紙が存在するか否かをチェックし（Ｓ１１）、適合するサイズの記録紙が存在すれば（Ｓ１１のＹ）、前述の実施の形態通り、印字領域に適合するサイズの記録紙を選択し（Ｓ５）、その記録紙に対してテキストメールの印字が行われる（Ｓ６）。
【０１１２】
一方、主走査幅が記録紙サイズを越えてしまう等、適合サイズがない場合には（Ｓ１１のＮ）、主・副走査方向を入れ替えて印字領域の大きさを予測する処理が行われる。即ち、１行の最大文字数から副走査幅を予測し（Ｓ１２）、かつ、行数から主走査幅を予測する（Ｓ１３）。ステップＳ１２の処理により、第２の副走査幅予測手段、副走査幅予測過程ないし副走査幅予測機能が実現され、ステップＳ１３の処理により、第２の主走査幅予測手段、主走査幅予測過程ないし主走査幅予測機能が実現されている。これらのステップＳ１２，Ｓ１３の処理により記録紙を横長と仮定した場合のテキストメールの印字に要する印字領域（＝副走査幅×主走査幅）が予測されるものであり、ステップＳ１２及びＳ１３の処理によっても、領域予測手段、領域予測過程ないしは領域予測機能が実現されている。
【０１１３】
印字領域の大きさが予測されると、その大きさに適合するサイズの記録紙を選択する処理が行われる（Ｓ１４）。このステップＳ１４の処理により、サイズ選択手段、サイズ選択過程ないしはサイズ選択機能が実現されている。この処理においては、予測された印字領域の大きさが当該ファクシミリ装置に用意されている記録紙の何れのサイズに収まるか否かをチェックし、収まるサイズを適合するサイズとして選択する。適合するサイズが複数存在する場合もあるが、この場合の処理は前述の場合と同様でよい。
【０１１４】
適合するサイズの記録紙が選択されると（Ｓ１４）、テキストメールに関して９０°反転手段１１による９０°の反転処理を伴いながらプロッタ４を駆動させることにより、選択されたサイズの記録紙上にテキストメールが印字される（Ｓ１５）。このステップＳ１５の処理により反転手段、反転過程ないしは反転機能を伴う印字手段、印字過程ないしは印字機能が実現される。このステップＳ１５による印字結果は、横長状態となる。
【０１１５】
図８に本実施の形態のテキストメールの受信印刷処理制御例に基づく記録紙Ｐ上への印字出力例を示す。図８はテキストメールの１行の文字数が比較的多い場合の例を示す。即ち、標準仕様通りの縦長となる印字出力形態では記録紙の主走査幅に収まらないが、横長状態となるように印字出力させれば収まる（記録紙の副走査幅には収まる）ケースを示している。このようなケースでは、結果として横長状態となる印字出力形態で印字させれば記録紙内に適正に収まることが多いので、このような印字形態に則して印字領域の大きさの予測も１行の最大文字数=副走査幅、行数＝主走査幅として主・副走査方向を入れ替えて行う予測も加味しているので、領域予測としてより適正となり、記録紙サイズの選択も適切になることが予想できる。
【０１１６】
なお、本実施の形態では、ステップＳ１２，Ｓ１３の予測処理を、ステップＳ３，Ｓ４の予測処理の結果、適合サイズがない場合に行うようにしたが、例えば、受信するテキストメールの１行の文字数が比較的長いようなユーザにあっては、ステップＳ２の後、ステップＳ３，Ｓ４の処理を経ることなく、直接的にステップＳ１２，Ｓ１３の処理を行わせるように設定してもよい。
【０１１７】
本発明の第三の実施の形態を図９及び図１０に基づいて説明する。本実施の形態にあっては、図９に示すように、段階的に異ならせたサイズの印刷用フォントを保存したフォント記憶部１２が付加されている。
【０１１８】
図１０はメーラから送信されたメールを受信した場合に、システム制御部１中のＣＰＵにより実行される本実施の形態の場合の受信印刷処理制御例の概略を示すフローチャートである。テキストメール部分について１行の最大文字数から主走査幅を予測し（Ｓ３）、かつ、行数から副走査幅を予測する（Ｓ４）処理は、前述の場合と同様に行われる。これらのステップＳ３，Ｓ４による処理で予測された印字領域の大きさに適合するサイズの記録紙が存在するか否かをチェックし（Ｓ１１）、適合するサイズの記録紙が存在すれば（Ｓ１１のＹ）、前述の実施の形態通り、印字領域に適合するサイズの記録紙を選択し（Ｓ５）、その記録紙に対してテキストメールの印字が行われる（Ｓ６）。
【０１１９】
ステップＳ１１で適合サイズがない場合には、テキストメール部分について１行の最大文字数から副走査幅を予測し（Ｓ１２）、かつ、行数から主走査幅を予測する（Ｓ１３）処理は、前述の場合と同様に行われる。これらのステップＳ１２，Ｓ１３による処理で予測された印字領域の大きさに適合するサイズの記録紙が存在するか否かをチェックし（Ｓ２１）、適合するサイズの記録紙が存在すれば（Ｓ２１のＹ）、前述の実施の形態通り、印字領域に適合するサイズの記録紙を選択し（Ｓ１４）、その記録紙に対して９０°反転処理を伴うテキストメールの印字が行われる（Ｓ１５）。
【０１２０】
一方、このような処理を経ても、適合サイズがない場合には（Ｓ２１のＮ）、印刷用フォントのサイズを標準仕様からそれよりも小さいサイズのフォントに変更し（Ｓ２２）、そのフォントサイズの場合の印字領域の大きさの予測を行う（Ｓ３，Ｓ４）。フォントサイズの変更により予測された印字領域の大きさに適合するサイズの記録紙が存在すれば（Ｓ１１のＹ）、前述の場合と同様にして、印字領域に適合するサイズの記録紙を選択し（Ｓ５）、その記録紙に対して変更されたフォントサイズでテキストメールの印字が行われる（Ｓ６）。
【０１２１】
ステップＳ１１で適合サイズがない場合には、変更されたフォントサイズで印字領域の大きさの予測を行う（Ｓ１２，Ｓ１３）。フォントサイズの変更により予測された印字領域の大きさに適合するサイズの記録紙が存在すれば（Ｓ２１のＹ）、前述の場合と同様に、印字領域に適合するサイズの記録紙を選択し（Ｓ１４）、その記録紙に対して変更されたフォントサイズで９０°反転処理を伴うテキストメールの印字が行われる（Ｓ１５）。
【０１２２】
この一連の処理でも適合するサイズの記録紙がない場合には、印刷用フォントのサイズをさらに一段階小さくして同様の処理を繰返すようにすればよい。
【０１２３】
従って、異なるサイズの印刷用フォントを利用することで、印字領域の大きさと記録紙サイズとが適合する確率が一段と高まり、より適正なサイズ関係でテキストメールを印字出力させることが可能となる。
【０１２４】
本発明の第四の実施の形態を図１１に基づいて説明する。前述した実施の形態では、印字領域の大きさに適合するサイズの記録紙を選択して印字させるようにしたが、本実施の形態では、受信したテキストメールを印字出力する記録紙のサイズが予め設定されている場合を想定したものである。
【０１２５】
図１１はメーラから送信されたメールを受信した場合に、システム制御部１中のＣＰＵにより実行される本実施の形態の受信印刷処理制御例の概略を示すフローチャートである。この処理は、メールを受信した場合に実行される（Ｓ１のＹ）。メールを受信すると、そのメールにつき、１行目から順にパート数Ｎがナンバリングされ、Ｎパート目がテキストメールであるかがチェックされる（Ｓ２）。
【０１２６】
引き続き、本実施の形態では、受信したこのテキストメールを印字出力する記録紙のサイズが選択設定される（Ｓ３１）。このステップＳ３１の処理によりサイズ設定手段、サイズ設定過程ないしはサイズ設定機能が実現されている。このステップＳ３１の処理によるサイズの選択設定は、記録紙サイズが１種類しかない場合の固定サイズデータであってもよく、個々のケースに任意に選択設定されるサイズデータであっても、標準仕様として固定されたサイズデータであってもよく、要は、記録紙サイズが前もって設定されていればよい。
【０１２７】
このように記録紙サイズが定まっている条件下で、そのテキストメールを標準仕様（予め設定されている標準文字フォントサイズ、文字間隔、行間）により印字する場合に要する印字領域の大きさを予測する処理が行われる。ここでは、まず、テキストパート中に属するテキストメール中で各々の行の文字数を計数し、１行の最大文字数から印字に要する主走査幅を予測し（Ｓ３）、かつ、テキストパート中に属するテキストメールの行数を計数することにより、その行数から印字に要する副走査幅を予測する（Ｓ４）。これらのステップＳ３，Ｓ４の処理によりテキストメールの印字に要する標準仕様の印字領域（＝主走査幅×副走査幅）の大きさが予測されるものであり、ステップＳ３及びＳ４により、領域予測手段、領域予測過程ないしは領域予測機能が実現されている。
【０１２８】
標準仕様による印字領域の大きさが予測されると（Ｓ４）、予測されたその印字領域の大きさが設定されている記録紙サイズに適合するか（収まるか）否かをチェックする（Ｓ３２）。このステップＳ３２の処理により判断手段、判断過程ないしは判断機能が実現されている。適合する場合には、印刷条件を標準仕様のままとして（Ｓ３３）、そのまま記録紙にテキストメールを印字する（Ｓ３４）。
【０１２９】
適合しない場合には（Ｓ３２のＮ）、主・副走査方向を入れ替えて印字領域の大きさを予測する処理が行われる。即ち、１行の最大文字数から副走査幅を予測し（Ｓ３５）、かつ、行数から主走査幅を予測する（Ｓ３６）。これらのステップＳ３５，Ｓ３６の処理により記録紙を横長と仮定した場合のテキストメールの印字に要する印字領域（＝副走査幅×主走査幅）の大きさが予測される。新たに予測されたこの印字領域の大きさが設定されている記録紙サイズに適合するか（収まるか）否かをチェックし（Ｓ３７）、収まる場合には、記録紙に対する印字出力方向を９０°反転させるようにテキストメールの印刷条件を設定する（Ｓ３８）。そして、設定された印刷条件に従い、印字出力方向を主・副走査方向で９０°反転させる反転処理を伴い、設定されているサイズの記録紙に対してテキストメールを印字する（Ｓ３９）。
【０１３０】
ステップＳ３３又はＳ３８の処理により、印刷条件設定手段、印刷条件設定過程ないしは印刷条件設定機能が実現され、ステップＳ３４又はＳ３９の処理により印字手段、印字過程ないしは印字機能が実現されている。
【０１３１】
このように本実施の形態によれば、テキストメールを印字出力する記録紙のサイズが予め設定されている場合において、標準仕様のままでも適合すると判断した場合にはそのまま印字させるが、テキストメールの１行の文字数が多い場合には、標準仕様で印字させると記録紙の主走査幅に収まらないことがあることから、このような場合には、主走査方向と副走査方向とを入れ替えることで、記録紙サイズに適合するかを判断し、適合する場合には主・副走査方向で９０°反転させた印刷条件として設定して、主・副走査方向で９０°反転させた印字を行わせることで、結果として、１行の文字数の多いテキストメールを指定されたサイズの記録紙に横長状態で印字出力させることができ、記録紙サイズの適正化を図りやすくなる。
【０１３２】
本発明の第五の実施の形態を図１２に基づいて説明する。本実施の形態でも、受信したテキストメールを印字出力する記録紙のサイズが予め設定されている場合を想定したものである。
【０１３３】
図１２はメーラから送信されたメールを受信した場合に、システム制御部１中のＣＰＵにより実行される本実施の形態の受信印刷処理制御例の概略を示すフローチャートである。
【０１３４】
ステップＳ１，Ｓ２，Ｓ３１，Ｓ３，Ｓ４の処理は前述した実施の形態の場合と同様に実行される。
【０１３５】
標準仕様による印字領域の大きさが予測されると（Ｓ４）、予測されたその印字領域の大きさが設定されている記録紙サイズに適合するか（収まるか）否かをチェックする（Ｓ３２）。適合する場合には、印刷条件を標準仕様に設定して（Ｓ４１）、そのまま記録紙にテキストメールを印字する（Ｓ４２）。適合しない場合には（Ｓ４１のＮ）、印刷用フォントのサイズを標準仕様からそれよりも小さいサイズのフォントに変更し（Ｓ４３）、そのフォントサイズの場合の印字領域の大きさの予測を行う（Ｓ３，Ｓ４）。フォントサイズの変更により予測された印字領域の大きさが設定されているサイズの記録紙に適合すれば（Ｓ４１のＹ）、変更されたフォントサイズによる印刷条件に設定して（Ｓ４２）、設定されている記録紙に対してテキストメールの印字を行う（Ｓ４２）。
【０１３６】
ステップＳ４１，Ｓ４３の処理により、印刷条件設定手段、印刷条件設定過程ないしは印刷条件設定機能が実現され、ステップＳ４２の処理により印字手段、印字過程ないしは印字機能が実現されている。
【０１３７】
このように本実施の形態によれば、テキストメールを印字出力する記録紙のサイズが予め設定されている場合において、標準仕様のままでも適合すると判断した場合にはそのまま印字させるが、テキストメールの文字数が全体的に多い場合には、標準仕様で印字させると記録紙に収まらないことがあることから、このような場合には、フォント記憶手段１２に記憶されている標準仕様よりも小さいフォントサイズに変更して印刷条件として設定して印字を行わせることで、結果として、文字数が全体的に多いテキストメールを指定されたサイズの記録紙に収まるようにして印字出力させることができ、記録紙サイズの適正化を図りやすくなる。
【０１３８】
本発明の第六の実施の形態を図１３ないし図１７に基づいて説明する。本実施の形態でも、受信したテキストメールを印字出力する記録紙のサイズが予め設定されている場合を想定したものである。
【０１３９】
本実施の形態にあっては、図１３に示すように、受信したテキストメールのスタイルを判別し、かつ、そのスタイルに整形処理を施すためのテキストメール制御部１３が付加されている（実際の制御処理はシステム制御部１中のＣＰＵが受け持つ）。
【０１４０】
図１４はメーラから送信されたメールを受信した場合に、システム制御部１中のＣＰＵにより実行される本実施の形態の受信印刷処理制御例の概略を示すフローチャートである。
【０１４１】
ステップＳ１，Ｓ２，Ｓ３１，Ｓ３，Ｓ４の処理は前述した実施の形態の場合と同様に実行される。
【０１４２】
標準仕様による印字領域の大きさが予測されると（Ｓ４）、予測されたその印字領域の大きさが設定されている記録紙サイズに適合するか（収まるか）否かをチェックする（Ｓ３２）。適合する場合には、標準仕様のまま記録紙にテキストメールを印字する（Ｓ３４）。
【０１４３】
一方、予測された印字領域の大きさが設定されている記録紙サイズに適合しない場合は（Ｓ３２のＮ）、まず、そのテキストメール中の文字列の終端に空白文字（スペース）が存在するか否かをチェックする（Ｓ４４）。空白文字が存在すれば（Ｓ４４のＹ）、その空白文字を削除する処理を行う（Ｓ４５）。引き続き、記録紙サイズの主走査幅に合わせてテキストメールの１行の文字列を折り返す処理を施す（Ｓ４６）。さらに、受信したテキストメール中の最終行に改行文字が存在するか否かをチェックし（Ｓ４７のＹ）、存在すればその改行文字を削除する処理を行う（Ｓ４８）。これらのステップＳ４４〜Ｓ４８の処理により、整形処理手段、整形処理過程ないしは整形処理機能が実現されている。
【０１４４】
このような整形処理後に、設定されている記録紙に対してテキストメールが印字される（Ｓ３４）。
【０１４５】
テキストメールは１行の文字数に制限がなく、全く改行されずにそのテキストが送信されてくることもある。このような改行文字なしのテキストメールを受信して印字しようとする場合には、１行の文字数が極端に多く、受信したままのスタイルでは全ての文章を記録紙内に収めるのは困難である。そこで、本実施の形態ではこのようなケースを想定し、１行の文字列を主走査幅に合わせて折り返す整形処理を施すようにしたものである（Ｓ４６）。例えば、改行文字がない場合、受信したスタイルのままであると図１５（ａ）に示すような印字結果となってしまい、文章内容が途切れてしまうが、本実施の形態のようなステップＳ４６による折り返し処理を施すことにより、スタイルは変更されるが文章内容を損なうことなく記録紙に収まる状態で印字出力させることができる。
【０１４６】
また、テキストメールの１行の文字列の終端に空白文字（スペース）がある場合、このようなテキストを印字するに当たり空白文字は意味がないが、ステップＳ４６のような折り返し処理を施すと、意味のない空白文字が図１６（ａ）に示すように折り返されてしまい、テキスト内容が読み難くなり、場合によってはその内容を損なうこともある。この点に関しても、本実施の形態では、折り返し処理（Ｓ４６）を施す前に、１行の文字列の終端に空白文字が存在すれば（Ｓ４４のＹ）、その空白文字を削除する（Ｓ４５）ので、図１６（ｂ）に示すように空白文字が折り返さることがなく読みやすいテキストメールの印字結果を得ることができる。
【０１４７】
さらには、受信したテキストメールの最終行に改行文字がある場合、このようなテキストメールを印字出力する上でこの改行文字は意味がないが、このような改行文字の存在により、本来的には１ページだけで済むところが、図１７（ａ）に示すように２ページ目が白紙状態で出力されてしまう無駄を生ずることがあり得る。この点に関しても、本実施の形態では、最終行に改行文字が存在すれば（Ｓ４７のＹ）、その改行文字を削除する（Ｓ４８）ので、白紙出力を生ずるような無駄を回避することができる（図１７（ｂ）参照）。
【０１４８】
本発明の第七の実施の形態を図１８に基づいて説明する。本実施の形態では、記録紙サイズが定まっていない条件下で、例えば第一の実施の形態のように記録紙サイズを選択設定する処理を行い、適合するサイズがない場合に第五の実施の形態のような整形処理を施すようにしたものである。
【０１４９】
図１８はメーラから送信されたメールを受信した場合に、システム制御部１中のＣＰＵにより実行される本実施の形態の場合の受信印刷処理制御例の概略を示すフローチャートである。
【０１５０】
テキストメール部分について１行の最大文字数から主走査幅を予測し（Ｓ３）、かつ、行数から副走査幅を予測する（Ｓ４）処理は、前述した場合と同様に行われる。これらのステップＳ３，Ｓ４による処理で予測された印字領域の大きさに適合するサイズの記録紙が存在するか否かをチェックし（Ｓ１１）、適合するサイズの記録紙が存在すれば（Ｓ１１のＹ）、前述の実施の形態通り、印字領域に適合するサイズの記録紙を選択し（Ｓ５）、その記録紙に対してテキストメールの印字が行われる（Ｓ６）。
【０１５１】
一方、適合するサイズの記録紙が存在しない場合には（Ｓ１１のＮ）、印字対象とする記録紙として、任意サイズの記録紙を設定する（Ｓ５１）。この設定処理によりサイズ設定手段、サイズ設定過程ないしはサイズ設定機能が実現されるが、標準仕様に従い自動的にサイズが設定されるようにしてもよい。
【０１５２】
この後、そのテキストメール中の文字列の終端に空白文字（スペース）が存在するか否かをチェックする（Ｓ４４）。空白文字が存在すれば（Ｓ４４のＹ）、その空白文字を削除する処理を行う（Ｓ４５）。引き続き、記録紙サイズの主走査幅に合わせてテキストメールの１行の文字列を折り返す処理を施す（Ｓ４６）。さらに、受信したテキストメール中の最終行に改行文字が存在するか否かをチェックし（Ｓ４７のＹ）、存在すればその改行文字を削除する処理を行う（Ｓ４８）。これらのステップＳ４４〜Ｓ４８の処理により、整形処理手段、整形処理過程ないしは整形処理機能が実現されている。
【０１５３】
このような整形処理後に、設定されている記録紙に対してテキストメールが印字される（Ｓ６）。
【０１５４】
従って、本実施の形態によれば、印字領域の大きさを予測して適合するサイズの記録紙を選択して印字させることを基本とするが、それでもテキストメールのスタイル等によっては、適合するサイズの記録紙が存在しないこともあることから、このような場合には、印字を行う記録紙サイズを特定した後、その記録紙サイズに収まるように受信したテキストメールのスタイルに整形処理を施して印字することにより、結果として、元々のテキストメールのスタイルとは異なるがその文章内容を損なうことなく特定されたサイズの記録紙に収まるようにして印字出力させることができ、記録紙サイズの適正化を図りやすくなる。
【０１５５】
なお、これらの実施の形態では、通信装置としてインターネットファクシミリ装置への適用例で説明したが、この他の通信装置としては複合機等があり、要は、メール受信可能な通信機能及び印字出力機能を備える機器であれば同様に適用することができる。
【０１５６】
【発明の効果】
以上説明したように、本発明によれば、テキストメールを印字出力する記録紙のサイズが予め設定されている場合において、標準仕様のままでも適合すると判断した場合にはそのまま印字させるが、テキストメールのスタイル等によっては、標準仕様で印字させると記録紙に収まらないことがある点に着目し、このような場合には、記録紙サイズに収まるように受信したテキストメールのスタイルに整形処理を施して印字することにより、結果として、元々のテキストメールのスタイルとは異なるがその文章内容を損なうことなく指定されたサイズの記録紙に収まるようにして印字出力させることができ、記録紙サイズの適正化を図りやすくなるという効果を得る。
また、指定されたサイズの記録紙に収まらない典型例として改行処理がなされておらず１行の文字数が極端に多いテキストメールの場合を挙げられる点に着目し、このような場合には、記録紙サイズの主走査幅に合わせて記テキストメールの１行の文字列を折り返す処理を施すことで、スタイル自体は変更されるが、テキストメールの文章内容を損なうことなく指定されたサイズの記録紙上に印字出力させることができるという効果も得る。
【０１５７】
また、テキストメール印字領域の大きさを予測して適合するサイズの記録紙を選択して印字させるが、テキストメールのスタイル等によっては、適合するサイズの記録紙が存在しないこともある点に着目し、このような場合には、印字を行う記録紙サイズを特定した後、その記録紙サイズに収まるように受信したテキストメールのスタイルに整形処理を施して印字することにより、結果として、元々のテキストメールのスタイルとは異なるがその文章内容を損なうことなく特定されたサイズの記録紙に収まるようにして印字出力させることができ、記録紙サイズの適正化を図りやすくなるという効果も得る。
【０１５８】
また、受信したテキストメールに基づきその印字に要する印字領域の大きさを予測して適合するサイズの記録紙を選択して印字するので、いかなるテキストメールを受信してもその文章内容が損なわれることなく適切な記録紙上に印字出力させることができる。
【図面の簡単な説明】
【図１】本発明の第一の実施の形態を示すファクシミリ装置の概略ブロック図である。
【図２】シングルパートのメール構造例を示す説明図である。
【図３】マルチパートのメール構造例を示す説明図である。
【図４】テキストメールの受信印刷制御処理例を示す概略フローチャートである。
【図５】テキストメールの印字出力例を示す説明図である。
【図６】本発明の第二の実施の形態を示すファクシミリ装置の概略ブロック図である。
【図７】テキストメールの受信印刷制御処理例を示す概略フローチャートである。
【図８】テキストメールの印字出力例を示す説明図である。
【図９】本発明の第三の実施の形態を示すファクシミリ装置の概略ブロック図である。
【図１０】テキストメールの受信印刷制御処理例を示す概略フローチャートである。
【図１１】本発明の第四の実施の形態のテキストメールの受信印刷制御処理例を示す概略フローチャートである。
【図１２】本発明の第五の実施の形態のテキストメールの受信印刷制御処理例を示す概略フローチャートである。
【図１３】本発明の第六の実施の形態を示すファクシミリ装置の概略ブロック図である。
【図１４】テキストメールの受信印刷制御処理例を示す概略フローチャートである。
【図１５】テキストメールの印字出力例を示す説明図である。
【図１６】テキストメールの印字出力例を示す説明図である。
【図１７】テキストメールの印字出力例を示す説明図である。
【図１８】本発明の第七の実施の形態のテキストメールの受信印刷制御処理例を示す概略フローチャートである。
【符号の説明】
１２      フォント記憶手段
Ｓ３      主走査幅予測手段、領域予測手段
Ｓ４      副走査幅予測手段、領域予測手段
Ｓ５      サイズ選択手段
Ｓ６      印字手段
Ｓ１２    副走査幅予測手段、領域予測手段
Ｓ１３    主走査幅予測手段、領域予測手段
Ｓ１４    サイズ選択手段
Ｓ１５    反転手段、印字手段
Ｓ３２    判断手段
Ｓ３３    印刷条件設定手段
Ｓ３４    印字手段
Ｓ３８    印刷条件設定手段
Ｓ３９    反転手段、印字手段
Ｓ４１    印刷条件設定手段
Ｓ４４〜Ｓ４８    整形処理手段
Ｓ５１    サイズ設定手段
【図１】
0004259771.tif 000002
【図２】
0004259771.tif 000003
【図３】
0004259771.tif 000004
【図４】
0004259771.tif 000005
【図５】
0004259771.tif 000006
【図６】
0004259771.tif 000007
【図７】
0004259771.tif 000008
【図８】
0004259771.tif 000009
【図９】
0004259771.tif 000010
【図１０】
0004259771.tif 000011
【図１１】
0004259771.tif 000012
【図１２】
0004259771.tif 000013
【図１３】
0004259771.tif 000014
【図１４】
0004259771.tif 000015
【図１５】
0004259771.tif 000016
【図１６】
0004259771.tif 000017
【図１７】
0004259771.tif 000018
【図１８】
0004259771.tif 000019